(57)【要約】      （修正有）【課題】特に夜間における自動車等からの視認性を高めるとともに、転倒を抑制して安定性を確保することの可能な矢印板を提供する。【解決手段】矩形状の外枠部１０と、該外枠部１０の内側に配置された基盤部２０と、複数の高輝度白色ＬＥＤを有し基盤部２０に矢印を示すように３方向の直線に沿って取り付けられた発光部３０とを備える。基盤部２０を矢印形状とし、基盤部２０の表面に高輝度反射シート５０を取り付ける。断面コ字状で接地面に傾斜部を設けたゴム製の脚部６０を、外枠部１０を挟みこむように取り付ける。【選択図】図１
0003166080.tif 000002
【実用新案登録請求の範囲】
【請求項１】
矩形状の外枠部と、前記外枠部の内側に配置された基盤部と、複数の高輝度白色ＬＥＤを有し前記基盤部に矢印を示すように取り付けられた発光部とを備えたことを特徴とする矢印板。
【請求項２】
前記発光部が、前記基盤部に矢印を示すように３方向の直線に沿って取り付けられたことを特徴とする請求項１に記載の矢印板。
【請求項３】
前記基盤部が矢印形状であることを特徴とする請求項１又は請求項２に記載の矢印板。
【請求項４】
前記基盤部の表面に高輝度反射シートが取り付けられたことを特徴とする請求項１乃至請求項３のうちいずれか一つに記載の矢印板。
【請求項５】
断面コ字状で接地面に傾斜部を設けたゴム製の脚部が、前記外枠部を挟みこむように取り付けられたことを特徴とする請求項１乃至請求項４のうちいずれか一つに記載の矢印板。
【考案の詳細な説明】
【技術分野】
【０００１】
本考案は、一般道路や高速道路の道路工事等において一般車両を誘導するために使用される矢印板に関する。
【背景技術】
【０００２】
従来、一般道路や高速道路において道路工事等を行う場合、一般車両の進行方向を指示して誘導するための矢印板が用いられている。一般的な矢印板としては、２枚の板材を山型に形成したものが用いられ、その両面に進行方向を示す矢印が例えば赤地に白といった配色で標示されている。
【０００３】
一方、夜間に道路工事等を行う場合には、自動車等からの視認性を高める必要があるため、板材の表面に反射シートを取り付けて自動車等のライトを反射するようにしたものや、例えば特許文献１に記載されたような、赤色ＬＥＤ（発光ダイオード）を用いた自発光式矢印板が用いられている。
【先行技術文献】
【特許文献】
【０００４】
【特許文献１】特開２００３−１６０９１７号公報
【考案の概要】
【考案が解決しようとする課題】
【０００５】
しかしながら、板材の表面に反射シートを取り付けた矢印板では、取り付ける反射シートによっては、自動車等のライトの反射性能が低い場合がある。
【０００６】
また、赤色ＬＥＤを用いた自発光式矢印板では、ＬＥＤ自体の輝度が低い場合がある。また、ＬＥＤ自体の輝度が高くても、その配置によっては、光がぼんやり浮かび上がって示すべき進行方向が不明確になる場合がある。
【０００７】
さらに、矢印板自体の安定性が不十分であると、風等の影響を受けて転倒する危険性もある。
【０００８】
本考案は、上記従来の課題を解決するものであり、特に夜間における自動車等からの視認性を高めるとともに、転倒を抑制して安定性を確保することの可能な矢印板を提供するものである。
【課題を解決するための手段】
【０００９】
請求項１に係る考案の矢印板は、矩形状の外枠部と、前記外枠部の内側に配置された基盤部と、複数の高輝度白色ＬＥＤを有し前記基盤部に矢印を示すように取り付けられた発光部とを備えたことを特徴とする。
【００１０】
請求項２に係る考案は、請求項１に記載の矢印板において、前記発光部が、前記基盤部に矢印を示すように３方向の直線に沿って取り付けられたことを特徴とする。
【００１１】
請求項３に係る考案は、請求項１又は請求項２に記載の矢印板において、前記基盤部が矢印形状であることを特徴とする。
【００１２】
請求項４に係る考案は、請求項１乃至請求項３のうちいずれか一つに記載の矢印板において、前記基盤部の表面に高輝度反射シートが取り付けられたことを特徴とする。
【００１３】
請求項５に係る考案は、請求項１乃至請求項４のうちいずれか一つに記載の矢印板において、断面コ字状で接地面に傾斜部を設けたゴム製の脚部が、前記外枠部を挟みこむように取り付けられたことを特徴とする。
【考案の効果】
【００１４】
請求項１に係る考案によれば、矩形状の外枠部の内側に配置された基盤部に、複数の高輝度白色ＬＥＤを有し矢印を示すように取り付けられた発光部が備えられているので、白色ＬＥＤ自体の輝度が赤色ＬＥＤに比べて高く、より視認性を向上させることができる。
【００１５】
また、請求項２に係る考案によれば、発光部が、矢印を示すように３方向の直線に沿って取り付けられているので、示すべき進行方向を明確に標示することができる。
【００１６】
また、請求項３に係る考案によれば、基盤部が矢印形状であるので、外枠部と基盤部との間に隙間が形成され、外枠部と基盤部との間の隙間の分だけ矢印板が風の影響を受けにくく、転倒を抑制することができる。
【００１７】
また、請求項４に係る考案によれば、基盤部の表面に高輝度反射シートが取り付けられているので、反射性能を高めて視認性を向上させることができる。また基盤部が矢印形状であれば、自動車等のライトを反射することにより矢印形状を標示することができる。
【００１８】
また、請求項５に係る考案によれば、断面コ字状で接地面に傾斜部を設けたゴム製の脚部が、外枠部を挟みこむように取り付けられているので、矢印板を設置する地面にゴム製の脚部が確実に接地して安定性を確保することができる。
【００１９】
以上、本考案によれば、特に夜間における自動車等からの視認性を向上させるとともに、転倒を抑制して安定性を確保することの可能な矢印板を提供することができる。
【図面の簡単な説明】
【００２０】
【図１】本考案の実施形態に係る矢印板を表側から示す斜視図である。
【図２】本考案の実施形態に係る矢印板を裏側から示す斜視図である。
【図３】外枠部、基盤部、及び発光部を示す正面図である。
【図４】発光部モジュールを示す正面図である。
【図５】脚部を示す（ａ）正面図、（ｂ）側面図である。
【図６】夜間発光時の状態を示す図である。
【考案を実施するための形態】
【００２１】
次に、図１乃至図６を参照して、本考案の実施形態に係る矢印板について説明する。最初に図１及び図２を参照して、本実施形態に係る矢印板１００の全体構成について説明する。図１は、矢印板１００を表側から示す斜視図であり、図２は、矢印板１００を裏側から示す斜視図である。
【００２２】
図１及び図２に示すように、矢印板１００は、矩形状の外枠部１０、外枠部１０の内側に配置された矢印形状の基盤部２０、複数の高輝度白色ＬＥＤ４０を有し基盤部２０に取り付けられた発光部３０、基盤部２０に取り付けられた高輝度反射シート５０、外枠部１０に取り付けられたゴム製の脚部６０，６０，６０，６０、外枠部１０に折りたたみ可能に取り付けられた折りたたみフレーム７０，７０、防水ケース８０、スイッチ９０等から構成されている。
【００２３】
次に、図３及び図４を参照して、外枠部１０、基盤部２０及び発光部３０について詳細に説明する。図３は、外枠部１０、基盤部２０、及び発光部３０を示す正面図であり、図４は、発光部３０を構成する発光モジュールを示す正面図である。外枠部１０は、４本のアルミ製角パイプ１１，１２，１３，１４を矩形状に組み合わせたものである。また、基盤部２０は、外枠部１０の内側に配置されたアルミ製の板材であって、矢印形状に形成されている。そして、矢印の前側を構成する三角形部分２０ａの３つの頂点Ａ、Ｂ，Ｃと、矢印の後側を構成する長方形部分２０ｂの後端部Ｄが、外枠部１０にネジ等により固定されている。また、矩形状の外枠部１０の内側に矢印形状の基盤部２０を配置することにより、外枠部１０と基盤部２０との間には４ヶ所の隙間Ｘが形成されている。
【００２４】
なお、基盤部２０は必ずしも矢印形状に形成する必要はないが、矢印形状にすることで隙間Ｘが形成されて矢印板１００が風の影響を受けにくくなる。また矢印形状の基盤部２０に高輝度反射シート５０を取り付ければ、自動車等のライトを反射することにより矢印形状を標示することができる。従って、転倒抑制や視認性の向上をより効果的に実現するためには、矢印形状に形成することが好ましい。
【００２５】
基盤部２０の表面には、基盤部２０の矢印形状に合わせて、高輝度反射シート５０が取り付けられている。高輝度反射シート５０としては、例えば、住友スリーエム株式会社製のカプセルプリズム型高輝度反射シートの蛍光オレンジ色（製品番号：ＰＸ８４２４Ｐ）を用いることができる。カプセルプリズム型高輝度反射シートは、自転車の反射板に用いられるような一般的なデリネータと比較して、反射性能及び入射角特性（入射角の違いによる反射性能の保持）が優れているため、視認性の向上に非常に効果的である。
【００２６】
また、基盤部２０の表面には、発光部３０が取り付けられている。発光部３０は、基盤部２０に矢印を示すように３方向の直線に沿って取り付けられている。ここで、３方向の直線を説明するために、図３に示すように、基盤部２０の矢印の前側を構成する三角形部分２０ａの３つの頂点をＡ（先端），Ｂ（側端），Ｃ（側端）とし、矢印の後側を構成する長方形部分２０ｂの後端部をＤとする。そうすると、３方向の直線とは、「Ａ−Ｂ」、「Ａ−Ｃ」、「Ａ−Ｄ」を結ぶ直線であり、発光部３０は、この３方向の直線に沿って取り付けられている。
【００２７】
発光部３０は、４つの発光モジュール３０ａ，３０ｂ，３０ｃ，３０ｄから構成されている。そして、上記の「Ａ−Ｂ」直線に沿って発光モジュール３０ａが、「Ａ−Ｃ」直線に沿って発光モジュール３０ｂが、「Ａ−Ｄ」直線に沿って発光モジュール３０ｃ，３０ｄが、それぞれ配置されている。
【００２８】
なお、発光部３０は必ずしも基盤部２０に矢印を示すように３方向の直線に沿って取り付ける必要はない。しかしながら、例えば基盤部２０の矢印形状の周囲をぐるりと囲むように配置することで矢印を示すようにした場合には、矢印を示す光が全体的にぼんやり浮かび上がって示すべき進行方向が不明確になる場合がある。従って、示すべき進行方向を明確に標示して視認性の向上をより効果的に実現するためには、３方向の直線に沿って取り付けることが好ましい。
【００２９】
各発光モジュール３０ａ，３０ｂ，３０ｃ，３０ｄは、図４に示すように、複数（本実施形態では６個）の高輝度白色ＬＥＤ（発光ダイオード）４０が間隔を空けて直線状に並べられたものであり、配線３１により電源供給がなされる。ここで、高輝度白色ＬＥＤとは、３チップ白色ＬＥＤのような高輝度のものをいう。こうした高輝度白色ＬＥＤは、従来、案内板などの内部に設けられて内側から文字等を照らし出すためのバックライトとして用いられてきたものであり、矢印板の表面に直接取り付けられることのなかったものである。
【００３０】
次に、図５を参照して、脚部６０について詳細に説明する。図５は、脚部６０を示す（ａ）正面図、（ｂ）側面図である。脚部６０は、天然ゴム等を用いたゴム製であり、断面コ字状であって、外枠部１０を構成する角パイプに嵌合する凹部Ｙが形成されている。また、脚部６０の下側（接地面）には、傾斜部６１が形成されている。この傾斜部６１は、矢印板１００を道路工事等の現場で設置したときに、矢印板１００の表面が自動車等から見えやすい角度であって、かつ矢印板１００が転倒しないような角度に設定されている。
【００３１】
脚部６０は、図１及び図２に示すように、外枠部１０の上側の角パイプに２つ、外枠部１０の下側の角パイプに２つ、それぞれ取り付けられている。このとき、脚部６０の凹部Ｙで外枠部１０の角パイプを挟み込むようになっている。
【００３２】
なお、図１及び図２に示すように、２本の折りたたみフレーム７０，７０は、矢印板１００を使用するときに開いて設置するようになっており、折りたたみフレーム７０，７０の接地部分にもゴム製部材が取り付けられている。
【００３３】
また、防水ケース８０は、内部に高輝度白色ＬＥＤ４０を発光させるための電源部（例えば乾電池）と制御機構（例えば点滅発光させるための回路）等を収納しており、スイッチ９０を操作することにより高輝度白色ＬＥＤ４０を発光させるようになっている。
【００３４】
また、図２に示すように、基盤部２０にはスリット２１が表側の発光部３０に沿って形成されており、裏側から発光部３０が発光しているかどうかを確認できるようになっている。
【００３５】
次に、矢印板１００の使用方法について説明する。一般道路や高速道路の道路工事等の現場に到着すると、作業者は矢印板１００の折りたたみフレーム７０，７０を開いて地面に設置する。このとき、一般車両の進行方向を指示して誘導するように、矢印板１００の上下の向きを決定する。
【００３６】
次に、夜間になると、矢印板１００の裏面のスイッチ９０を操作して、発光部３０を発光させる。図６は、矢印板１００の夜間発光時の状態を示す図である。図６に示すように、一般車両に示すべき進行方向が明確に標示されている。
【００３７】
本実施形態に係る矢印板１００によれば、矩形状の外枠部１０の内側に配置された基盤部２０に、複数の高輝度白色ＬＥＤ４０を有し矢印を示すように取り付けられた発光部３０が備えられているので、白色ＬＥＤ自体の輝度が赤色ＬＥＤに比べて高く、より視認性を向上させることができる。
【００３８】
また、発光部３０が、矢印を示すように３方向の直線に沿って取り付けられているので、示すべき進行方向を明確に標示することができる。
【００３９】
また、基盤部２０が矢印形状であるので、外枠部１０と基盤部２０との間に隙間Ｘが形成され、外枠部１０と基盤部２０との間の隙間Ｘの分だけ矢印板１００が風の影響を受けにくく、転倒を抑制することができる。
【００４０】
また、基盤部２０の表面に高輝度反射シート５０が取り付けられているので、反射性能を高めて視認性を向上させることができる。また基盤部２０が矢印形状であれば、自動車等のライトを反射することにより矢印形状を標示することができる。
【００４１】
また、断面コ字状で接地面に傾斜部６１を設けたゴム製の脚部６０が、外枠部１０を挟みこむように取り付けられているので、矢印板１００を設置する地面にゴム製の脚部６０が確実に接地して安定性を確保することができる。
【００４２】
以上、本実施形態に係る矢印板１００によれば、特に夜間における自動車等からの視認性を向上させるとともに、転倒を抑制して安定性を確保することの可能な矢印板を提供することができる。
【符号の説明】
【００４３】
１０    外枠部
１１    角パイプ
１２    角パイプ
１３    角パイプ
１４    角パイプ
２０    基盤部
２０ａ  三角形部分
２０ｂ  長方形部分
２１    スリット
３０    発光部
３０ａ  発光モジュール
３０ｂ  発光モジュール
３０ｃ  発光モジュール
３０ｄ  発光モジュール
４０    高輝度白色ＬＥＤ
５０    高輝度反射シート
６０    脚部
６１    傾斜部
７０    折りたたみフレーム
８０    防水ケース
９０    スイッチ
１００    矢印板
Ｘ    隙間
Ｙ    凹部
【図１】
0003166080.tif 000003
【図２】
0003166080.tif 000004
【図３】
0003166080.tif 000005
【図４】
0003166080.tif 000006
【図５】
0003166080.tif 000007
【図６】
0003166080.tif 000008